(57)【要約】【解決課題】スロットマシンにおいてホッパー装置に対するメダルの投入作業を容易且つ的確にできるようにする。【解決手段】本体枠（１）の底部に前後方向に長さを有するレール（１５）を付設し、他方前記本体枠（１）の内部に設備するホッパー装置（４）には滑合突起部（１６）を備えて前記レール（１５）に滑合させ、支持取り付けると共に、該滑合突起部（１６）を前記レール（１５）に沿って案内移動させることによってホッパー装置（４）を単独に本体枠（１）の前方に引き出しメダルのホッパー内への投入を容易にする。【選択図】　　　　　図４
2004097413.tif 000002
【特許請求の範囲】
【請求項１】
箱形をなす本体枠には底部に前後方向に長さを有するレールを設備し、他方該本体枠内部に設備するホッパー装置には滑合突起部を備えて前記レールに滑合し、組合せる一方、該滑合突起部を前記レールに沿って案内移動させることによりホッパー装置を前記本体枠の前方に引き出せるようにしたことを特徴とするスロットマシン。
【請求項２】
レール先端部には滑合突起部の脱落防止のストッパーを備えてなることを特徴とした請求項１に記載のスロットマシン。
【請求項３】
レールは上下に間隔を置いて並行する上レール部と下レール部を有し、該上下のレール部間に滑合突起部を介挿して保持案内するようにしてなることを特徴とした請求項１又は２に記載のスロットマシン。
【請求項４】
滑合突起部は回転自由なローラであることを特徴とした請求項１乃至３に記載のスロットマシン。
【請求項５】
滑合突起部はホッパー装置の中心位置より後方に位置させると共に、前後に間隔を置く前方突起部と後方突起部とから構成し、レールの下レール部に前方突起部を、そして上レール部に後方突起部を各滑合させることを特徴とした請求項３に記載のスロットマシン。
【請求項６】
ホッパー装置の前縁部下面に本体枠の底部に当接してホッパー装置の自由な移動を拘束する当接突起部を備えてなることを特徴とした請求項１乃至５に記載のスロットマシン。
【請求項７】
レールは本体枠の底部の左右に並行して２本備え、ホッパー装置には前記２本のレールに各滑合するように左右に滑合突起部を備える一方、ホッパー装置の前縁端部下面中央部に当接突起部を突設して該ホッパー装置の格納時に前記左右の滑合突起部と協同して本体枠の底部上に安定保持することを特徴とした請求項１に記載のスロットマシン。
【発明の詳細な説明】
【０００１】
【発明の属する技術分野】
本発明は、スロットマシンに関し、更に詳しくはメダルを貯留し、払い出し時には指示に従って所定枚数を放出するメダルのホッパー装置につき改善したスロットマシンに関する。
【０００２】
【従来の技術】
スロットマシンを構成する主要な構造部分を大別すると、スロットマシンの各種装置を収容する外形を構成する箱形の本体枠と、この本体枠内に収容される３個の回転ドラムを連装してなるドラム装置と、遊技者が投入するメダルと共に放出のためのメダルを貯留し、メダル放出の指令を受けたとき予め指定された枚数のメダルを放出するホッパー装置と、前記本体枠の前面を被いドラム装置とホッパー装置を閉じ込める前扉を主要構造体として備えている。
そして、本体枠には上部空間に前記ドラム装置を、下部空間に前記ホッパー装置を収め、前扉の上部に形成する窓を通して回転ドラムが覗けるようにしてあり、またゲームの当りが出たとき、前記ホッパー装置からのメダルが前扉の下部に形成する受皿に放出されるようになっている。
【０００３】
前扉は一般に前面を開放させた縦長の箱形に形成される本体枠の一側縁に蝶着部材を介して開閉自由に取付られ、通常は扉の自由端をロック装置により掛け止め施錠しており、装置の保守点検時、或はホッパー装置にメダルを投入する際に解錠してこれを開放することができるようにしてある。
この様な中にあって、従来上記ホッパー装置へのメダルの投入は上部のドラム装置との間に形成される狭い空間を通して行われており、このため頗る作業性が悪く従来からその改善が求められていた。
【０００４】
一般に、ホッパー装置は本体枠に対してねじ止めされるのが普通であり、本体枠内部で移動しないようにしてある。この固定的な止め付けはホッパー装置から放出されるメダルが前扉に設ける受皿に正確に送り出せるように相互の連結が正確に行われる上で必要なことであり、従って一定位置に固定させるようにしてある。
また一方、本体枠内部はドラム装置とホッパー装置を収容する空間は用意されているが、それぞれの装置の大型化のため両者の間、つまり上下の関係の中には充分な空間は用意されておらず、従って固定されたホッパー装置にメダルを投入するための作業空間を確保することは困難な状況にある。
【０００５】
従来、この上下の間に十分な空間が設けられないことからドラム装置の側方の空間を利用してここにガイド部材を装置してこの装置を通してメダルをホッパー装置に投入する方法が提案されている（例えば、特許文献１を参照）。
しかし、ドラム装置の側方の空間は元々狭いものであり、手際良くしかも確実に投入するには作業空間として不充分である。またこの側方の空間を前記ガイド部材の設置のために利用するとドラムの大型化の妨げにもなり不都合である。
【０００６】
【特許文献１】
特開平４ー４４７９０号公報　（公報第２頁右上欄第９行目〜第１９行目、及び図面第１図、第２図。）
【０００７】
【発明が解決しようとする課題】
本発明は、この様な状況に鑑みホッパー装置へのメダルの投入作業の困難性を改善すべく研究開発されたもので、前扉の開放後容易且つ迅速にホッパー装置に対してメダルを投入し補充等の作業が行えるようにしたスロットマシンを提供しようとするものである。
【０００８】
また本発明は、メダルの投入作業の改善と共に、本体枠に対するホッパー装置の組付けを改善し、製造性を高める一方、保守点検の作業性を改善して容易且つ迅速に行えるようにしたスロットマシンを提供しようとするものである。
【０００９】
【課題を解決するための手段】
上記目的を達成するため本発明は、本体枠内部の底部に前後方向に長さを有するレールを設備し、他方この底部に設置するホッパー装置にはレールに滑合する滑合突起部を備えて両者を滑合連結し、常時はこの連結によって本体枠内部にホッパー装置を止め付けておき、メダル投入時には前扉の開放と共に前記レールを案内にホッパー装置を本体枠前方に引き出し、貯留ホッパー部を露出させ、メダルの投入作業を容易に行えるようにしたことにある。
【００１０】
また本発明は、前記レール先端部には滑合突起部の脱落防止のストッパーを備えたスロットマシンを提供することにある。
【００１１】
また本発明は、前記レールは上下に間隔を置いて並行する上レール部と下レール部を有し、該上下のレール部間に滑合突起部を介挿して保持案内するようにししたスロットマシンを提供することにある。
【００１２】
また本発明は、前記滑合突起部を回転自由なローラとしたスロットマシンを提供することにある。
【００１３】
また本発明は、前記滑合突起部をホッパー装置の中心位置より後方に設け、位置させると共に、前後に間隔を置く前方突起部と後方突起部とから構成して、レールの下レール部に前記前方突起部を、そして上レール部に前記後方突起部を各滑合させるようにしたスロットマシンを提供することにある。
【００１４】
また本発明は、前記ホッパー装置の前縁部下面に本体枠の底部に当接してホッパー装置の自由な移動を拘束する当接突起部を備えたスロットマシンを提供することにある。
【００１５】
また本発明は、前記レールは本体枠の底部の左右に並行して２本備え、ホッパー装置には前記２本のレールに各滑合するように左右に滑合突起部を備える一方、ホッパー装置の前縁部下面中央部に前脚突起部を突設して該ホッパー装置の格納時に前記左右の滑合突起部と協同して本体枠の底部上に安定保持するようにしたスロットマシンを提供することにある。
【００１６】
【発明の実施の形態】
次に、前述する本発明のスロットマシンを図面に示す実施例に基づき詳述し、その特徴とするところ及びその他の特徴につき説明することにする。
【００１７】
【実施例１】
図１乃至図８は本発明に係るスロットマシンの第１の実施例を示したものである。図１はスロットマシンの斜視図、図２は前扉を開放し内部を露出させた斜視図、図３は中央部で断面とした概略縦断右側面図である。
【００１８】
図面における符号１はスロットマシンの外形を構成する本体枠であり、２は本体枠１の前面を被う前扉で、３は３個の回転ドラム３ａ，３ｂ，３ｃを各回転自由に横並びに連装したドラム装置、４はメダルを貯留し、払い出すホッパー装置である。
【００１９】
本体枠１は図示するように縦長で前面を開放した箱形に形成してあり、内部の上部の空間にドラム装置３を収め、下部にホッパー装置４を収めるようにしてある。
ドラム装置３は内蔵するモータによって各独立して回転する３個の回転ドラム３ａ，３ｂ，３ｃをフレーム５で回転自由に支持し、このフレームに設ける取付片６を本体枠１の背面板７に固着することにより一体的に取付けてある。
【００２０】
本体枠の左側面板８には回転ドラムの回転を制御し、遊技を制御する遊技制御基板を収納するボックス９が取付けてあり、右側面板１０には外部のコンピュータと接続するための外部中継端子基板を収納するボックス１１が取付けてあり、ドラム装置３の側方の空間を埋めている。
【００２１】
一方、ホッパー装置４は上部にメダルを貯留する上方を広く開放した箱形のメダル貯留用のホッパー部１２を備え、下部には指示に従って予め定める枚数のメダルを払い出す支払い装置１３を備えて一体としてあり、支払い装置１３の前面には指示に従って払い出されるメダルを放出する排出口１４が設けてある。
【００２２】
１５は上記ホッパー装置４を本体枠内に止め付けるためのレールであり、１６はこのレールに滑合させ組付けるためホッパー装置４に備えた滑合突起部である。
レール１５は本体枠１の底部を構成する底板１７の上面にあって前後に長さを有し、これに滑合する滑合突起部１６をその長さ方向に沿って前後に摺動自由に支持する。
【００２３】
この実施例におけるレール１５は、図４に示したように１枚の金属板の両縁を向い合せとなるようコ字形に屈曲させチャンネル形に形成して２本のレール１８，１８を一体に有している。そして、それぞれ折り曲げた先端部を上レール部１８ａとし、またこれに下から対向し、並行する板部分を下レール部１８ｂとしており、この両レール部の間に前記滑合突起部１６を滑合するようにしてある。従って、ここではレール１５は２本のレール１８，１８を一体に有したものとなっている。
【００２４】
一方、このレール１５は前後の長さを本体枠１の底板１７の前後の長さに揃えて枠内部に収まるようにしてあり、左右のレール１８，１８の前方に位置する前端部には各レール先端部との間に間隔を置いて上向きに折り曲げ突出させたストッパー１９，１９が設けてある。
そして更に、この金属板から構成されるレール１５は左右に並行状に設ける前記２本のレール１８，１８の間隔をホッパー装置４の底部の横巾に揃えて、これに設ける滑合突起部１６を抱え込む如く滑合するようにしている。
【００２５】
ここに示す滑合突起部１６は自由に回転するローラになっている。そして、ホッパー装置４の底部の左右に各２個づつ設けてある。
この２つのローラ１６は前方のローラ１６ａ（前部突起部）をホッパー装置４の中心位置より後方の位置に取付け、後方のローラ１６ｂ（後部突起部）を最後端、ここでは後方に突出させた突出片２０に軸着して備え、両ローラ１６ａ，１６ｂを前後間隔を置いてそれぞれ回転自由に軸着してある。このことからローラによりホッパー装置４は前方のローラ１６ａより前に重心を置くことになっており、そのためローラ１６ａを支点にしてホッパー装置は常時前のめり状態となるように支持されている。
【００２６】
図中２１はホッパー装置４の前縁部の下面に突設した当接突起部である。この突起部はレール１５の左右のレール１８，１８にローラ１６ａ，１６ｂを滑合させてホッパー装置４との滑合組付けを行ったとき、レール１５の金属板上（ここではレール１５の金属板上としているが、直接底板１７の上面に当接させるものであってもよい。）に当接載置して前記前のめり状態となるホッパー装置４の前縁部を支え、水平状に保持する。そして同時にホッパー装置４の重量を受けて摩擦抵抗を強め、ホッパー装置の任意の移動をこれで阻止している。
【００２７】
尚、この当接突起部２１の当接位置については、前述のレール１５の金属板面乃至底板１７の上面に凹部を設けて掛け止め任意の移動を止めるようにしてもよいこと勿論である。
【００２８】
一方、前記前扉２は本体枠１の開口部一側縁に揃えた縁部を上下と中間の３点でヒンジ部材２２を介して枢着し、開閉自由に取付けてあり、上半部の中央部分にはドラム装置３に対応させて横長の窓２３を開設し、これより３個の回転ドラム３ａ，３ｂ，３ｃが覗けるようにしてある。そして、前面の中央部には前方に突出するように操作台２４を設け、メダルの投入口２５、投入枚数を１枚乃至３枚と選択する３個のクレジットメダル投入ボタン２６ａ，２６ｂ，２６ｃ、スタートレバー２７、３個のストップボタン２８ａ，２８ｂ，２８ｃ、更にクレジットモード設定ボタン２９、詰りメダル解除ボタン３０等を装備している。
【００２９】
前扉２の前面には更に最上部に上部ランプケース３１を備え、その下にゲームの内容形式等を表示する固定表示板３２を設け、前記窓２３の周囲を囲むようにドラム前面表示板３３を嵌め付け装備している。
【００３０】
ドラム前面表示板３３はドラム装置３と一体となってゲームの進行，成立を表示するもので、窓２３の左側方には上下方向に複数個の遊技状態報知ランプ３４・・・を、そして窓２３を挟む左右両縁には回転ドラムの表面に表示される図柄の組合せにおいて当りとなる組合せ関係を表示する当りラインの表示ランプ３５・・・が各縦列に配置され、窓の上方にはクレジットメダル数の表示器３６、大当りラウンド表示器３７、メダル払出数表示器３８が横列に配置され、更に下方には前記３個の回転ドラム３ａ，３ｂ，３ｃに各対応するように３個のドラムの回転中を表示する報知ランプ３９が設けてある。
【００３１】
そして、前記操作台２４の下方の前面には前記固定表示板３２に対応する下部の固定表示板４０を備え、最下部にはメダルを受ける受皿４１と、この受皿にメダルを放出するメダル払出口４２が設けてある。
【００３２】
一方、前扉２の背面には最上部に上部ランプケース３１のランプ基板４３を備え、窓２３の周囲には前記表示器３６，３７，３８のランプ基板４４と、報知ランプ３４及びライン表示用ランプ３５のランプ基板４５，４６と、ドラムの回転を表示する報知ランプ３９のランプ基板４７をそれぞれ備えており、更に前記メダル投入口２５の背後に位置させてメダルセレクタ４８を備え、このセレクタを通して投入されたメダルを前記ホッパー装置４に送り込めるようにしてある。
【００３３】
そして、上記メダルセレクタ４８の下方には前記払出口４２の後部が開口し、ホッパー装置４の排出口１４に臨むようにしてあり、更に下端の隅部には効果音を発するスピーカ４９が設けられ、扉の自由端縁には上下にロック装置の係止爪５０が突き出すように設けられて本体枠１の開口部縁に設けられる爪係止部５１にそれぞれ臨むようにしてある。
尚、図中５２は前記前扉２の係止爪５０を解錠操作するための錠穴であり、５３はホッパー装置４の側方の側面板８に固定した電源と大当り確率設定装置を内蔵するケースである。
【００３４】
本発明スロットマシンは上述のように構成されるもので、使用時前扉２は係止爪５０を爪係止部５１に掛け止めて閉塞した状態に保持され、通常のスロットマシンと同様に、メダル投入口２５に所定枚数のメダルを投入し、枚数に応じた確率のゲームを設定したのちスタートレバー２７を操作して３個の回転ドラム３ａ，３ｂ，３ｃを同時に回転させることになる。
そして、個々のドラムをストップボタン２８ａ，２８ｂ，２８ｃを操作して次々に停止させ、この停止に伴なって回転ドラムの特定の図柄が予め指定した表示ライン上に揃ったとき「当り」として、所定枚数のメダルをホッパー装置４から排出口４２を通して受皿４１に放出されるようになっている。
【００３５】
この様な装置において、ホッパー装置４にメダルを補充する場合、従来のスロットマシンと同様に前扉２を開放してホッパー装置の前面を開き、小型のスコップ等を使って貯留ホッパー部１２に向けて投入することになるが、前記従来のスロットマシンにつき説明したように、このまゝの状態でメダルをホッパー装置に投入するのは上方に位置するドラム装置３が邪魔になるため非常に作業がしにくく、迅速に処理するのが困難なものとなる。
【００３６】
しかし、本発明スロットマシンはこの様な状態にあって、レール１５に滑合支持させたホッパー装置４を手前に引き出すことによりホッパー装置の上方をドラム装置３から開放することができるため（図５の２点鎖線）貯留ホッパー部１２へのメダルの投入が頗る容易になる。
【００３７】
図６及び図７はホッパー装置４の格納状態と、引き出しに伴って本体枠の前方に向けて前進移動した状態を示した要部の拡大説明図である。格納状態におかれるホッパー装置は図６に示したように後部ローラ１６ｂをレール１８の最後端位置においてホッパー装置４の全体を本体枠１の内部に完全に収め、併せて前縁部下面に突設する当接突起部２１を金属板からなるレール１５の上面（ここでは底板１７に代るものとして利用されている。）に当接し、これに重量を受けて固定されることになる。このため格納状態では突出片２０に掛る負担は軽減されることになり耐久性は向上することになる。
【００３８】
この状態において次に引き出す際は手掛け部５４に手を掛けて若干持ち上げるようにして引き出すと、レール１８を案内にしてローラ１６が回転し、ホッパー装置４は楽に前進し、引き出されることになる。
図７はホッパー装置４の前進状態を示したものである。前ローラ１６ａがストッパー１９に衝合して前進を止められることになり、ホッパー装置４の略前半部分が本体枠１の外に持ち出された状態となる。
【００３９】
そして、このとき前記前ローラ１６ａはストッパー１９と下レール部１８ｂに支持され、後ローラ１６ｂは上レール１８ａの下面に支持されてホッパー装置４の前転倒を防止しながら水平に保持し、メダルの投入に備えることになる。
【００４０】
ところで、図８は本体枠１の底板１７の上面にねじ５５によりレール１５を固定したのち、このレール１５にホッパー装置４を組付け、或は取り外すときの操作手順を示したものである。
ホッパー装置４の組付けは、ホッパー装置をやゝ後下りに傾けて先ず後ローラ１６ｂをチャンネル形レール１８の間に滑り込ませ、次にそのまゝ後方に送って前ローラ１６ａがストッパー１９を超えたところで下レール部１８ｂ上に下し、滑合させて組付けを完了する。この状態を保ってホッパー装置４を後方に押込めば格納状態となる。
【００４１】
ホッパー装置４の取り外しは上記の逆の順序で行えばレール１５から外すことができる。
このホッパー装置４のレール１５に対する組合せは、ホッパー装置４を本体枠１内部に組付ける際容易であり、予めレールの板部分に開設しておく透孔５６にねじ５５を通して底板１７に固定しておけば前述の如く簡単に組付けが行えることになり、上記ねじ５５のねじ込み作業もホッパー装置に邪魔されることなく簡単に行うことができる。勿論ホッパー装置の着脱の容易性は保守点検作業時にも有利となることは言うまでもない。
【００４２】
【実施例２】
図９、図１０は本発明スロットマシンの第２の実施例を示したものである。この実施例は本体枠１の前面を被う前扉２を略中央部分で上下に２分し、ドラム装置３に対応した上扉２ａと、ホッパー装置４に対応した下扉２ｂ（尚、図面にはその存在を２点鎖線で示しており、実際の形態は前記第１実施例の前扉２の下半部分に相当するものとなる。）から構成し、且つこの上下の扉２ａ，２ｂを個別に開閉自由にした例である。
尚、図面上第１の実施例と同一の部所については同一の符号を付してその説明を省略する。以後のその他の実施例の説明においても同様とする。
【００４３】
この扉２を上下の扉に分割する例は、ドラム装置３を単独に取り外し、交換することでスロットマシンの模様替えを簡単に行う、分離型のスロットマシンにおいて実施されるものである。
この分離型のスロットマシンにおいては個別に扉が開閉されることから、ホッパー装置４にメダルを投入する際は下扉２ｂのみを開放することになり、従ってこのとき上扉２ａが残ることからホッパー上部の空間は一枚の前扉２からなる全面開放型のものに比較して更に狭いものとなる。
【００４４】
この様な中にあって、本発明スロットマシンは図１０に示した如く、レール１５を案内にホッパー装置４を前方に引き出しその上方を開放することができることから、ドラム装置３に邪魔されることなくメダルの投入を容易に行うことができることになる。
【００４５】
【実施例３】
次に、図１１，図１２は本発明に係るスロットマシンの第３の実施例である。
この実施例は底板１７の前縁を前方に張出して受台５７を形成して、この張出しに合せてレール１５を前方に延長し、左右のレール１８，１８の長さを増加させた例である。
ここでは受台５７の突き出し幅を前扉２に形成する受皿４１の下に収まる長さにして使用時における外観を損ねることのないようにしてあり、レール１８は先端部を本体枠１の開口部の縁に揃えて前扉２との衝突を回避するようにしてある（図１２参照）。
【００４６】
上記レール１５の前方への延長によってホッパー装置４の引き出し幅は更に大きくなり、上方の開放状態は更に広がるためメダルの投入は更に容易なものとなる。
尚、レール１５の延長はホッパー装置４の引き出し幅を大きくしてメダルの投入を容易にすることにあるが、前方への引き出し幅を大きくし過ぎると、重量の移動によってバランスを崩し、レールから脱落する危険があるのでメダル投入に充分な幅に止めるべきである。
【００４７】
以上本発明のスロットマシンを実施例に基づき説明したが、本発明はこれら実施例に限定されるものではなく、その他の方法において実施することが許される。
例えば、レール１５につき一枚の金属板から左右並行する２条のレール１８，１８を有するものにつき説明したが、これの特徴はプレス成形による製造を前提にしていることから製造性に加えて強度や精度が出し易く、また底板１７に対する取付けが容易であることによるものであり、上記のレール１８，１８を個別に製造し、取付るようにしても本発明の実施を妨げるものではない。
【００４８】
また、このレール１５の２条のレール１８をチャンネル形のレールとしたが、この他に断面Ｔ字形にしてもよい。また更には底板１７の中央部に上記Ｔ字形の一本のレールを配置してホッパー装置４を跨ぐように配置し、ホッパー装置の底部に向い合せに設ける滑合突起部１６を左右から突き入れて滑合させ組付けるようにしても実施は可能である。
【００４９】
また、滑合突起部１６を回転するローラとしたが、このローラの使用はホッパー装置４の引き出し、押し戻しを容易にするためであり、単なる突起状のものでもよい。要するにこの滑合突起部はレール１５に沿って移動するよう案内するものであるからその機能を有するものであれば形状等を特定されない。
【００５０】
【発明の効果】
本発明を実施例につき説明したが、前述の構成から明らかなように本発明によれば、前扉の開放後、ホッパー装置を前方に引き出しホッパーの上方を広く開放することができるので従来のスロットマシンのようにドラム装置やこの装置を支える支持台などに邪魔されて迅速な作業が妨げられるようなことがなく容易に滑確実にメダルの投入補充の作業が行えることになる。
【００５１】
また前後に移動するホッパー装置はレールに対して着脱が可能であるため予めレールを固定しておくことによって後からの組付けができ、従って製造時の組立が容易であると共に、取り外しが可能であることから保守点検の作業も容易に行える利点がある。
【００５２】
また本発明スロットマシンはホッパー装置が自由に移動が可能であると同時に、引き出し時には最先端位置においてストッパーが機能して落下が防止されることから安全に使用できる利点がある。
【図面の簡単な説明】
【図１】本発明に係るスロットマシンの斜視図。
【図２】前扉を開放した状態の斜視図。
【図３】概略縦断右側面図。
【図４】ホッパー装置とレールの関係を説明する拡大分解斜視図。
【図５】ホッパー装置の引き出し状態を説明する概略右側面図。
【図６】ホッパー装置を格納した状態を説明する要部の拡大右側面図。
【図７】ホッパー装置を引き出した状態を説明する要部の拡大右側面図。
【図８】ホッパー装置の着脱を説明する要部の拡大右側面図。
【図９】第２の実施例を説明する下扉を開放した状態の概略右側面図。
【図１０】下扉の開放した後ホッパー装置を引き出した状態を説明する概略右側面図。
【図１１】第３の実施例を説明する前扉を開放した状態の斜視図。
【図１２】ホッパー装置の引き出し時の移動を説明する要部の拡大右側面図。
【符号の説明】
１　　　　　　　　　本体枠
２　　　　　　　　　前扉
３　　　　　　　　　ドラム装置
３ａ，３ｂ，３ｃ　　回転ドラム
４　　　　　　　　　ホッパー装置
１５　　　　　　　　レール
１６　　　　　　　　滑合突起部たるローラ
１６ａ，１６ｂ　　　ローラ
１７　　　　　　　　底板
１８　　　　　　　　チャンネル形のレール
１８ａ　　　　　　　上レール部
１８ｂ　　　　　　　下レール部
１９　　　　　　　　ストッパー
２１　　　　　　　　当接突起部
５７　　　　　　　　受台
【図１】
2004097413.tif 000003
【図２】
2004097413.tif 000004
【図３】
2004097413.tif 000005
【図４】
2004097413.tif 000006
【図５】
2004097413.tif 000007
【図６】
2004097413.tif 000008
【図７】
2004097413.tif 000009
【図８】
2004097413.tif 000010
【図９】
2004097413.tif 000011
【図１０】
2004097413.tif 000012
【図１１】
2004097413.tif 000013
【図１２】
2004097413.tif 000014